(57)【要約】【課題】  所定の許可条件を満たす要求者に対してのみ、新電話番号を含むユーザ情報を案内する情報案内システムにおいて、許可条件の登録操作を容易なものとする。【解決手段】  登録者端末100の登録者は、新電話番号を含むユーザ情報を情報案内サーバ300に登録する際、許可条件も合わせて登録する。許可条件は、ユーザ情報の案内を許可する要求者の条件を示すものである。登録者端末100は、許可条件として、自端末の記憶部に登録されている電話帳情報を情報案内サーバ300へ送信し、登録する。情報案内サーバ300では、要求者端末200から電話番号等の案内要求があった場合、要求者端末200が電話帳情報に含まれていることを条件にして、登録者端末100のユーザ情報を要求者端末200へ送信する。【選択図】      図１
2005252525.tif 000002
【特許請求の範囲】
【請求項１】
情報案内サーバが、
登録者端末から送られてきた登録者の電話番号を含むユーザ情報と、該ユーザ情報の案内を許可する要求者端末の条件を示す許可条件とが格納されたサーバ側記憶部と、
要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備え、
前記登録者端末が、
前記許可条件を前記情報案内サーバへ送信する端末側制御部を備えたことを特徴とする情報案内システム。
【請求項２】
請求項１記載の情報案内システムにおいて、
前記登録者端末が、電話帳情報が格納された端末側記憶部を備え、
前記端末側制御部が、前記端末側記憶部に格納されている電話帳情報を、前記許可条件として前記情報案内サーバへ送信する構成を有することを特徴とする情報案内システム。
【請求項３】
請求項２記載の情報案内システムにおいて、
前記電話帳情報が、１或いは複数の電話番号を含み、
前記サーバ側制御部が、前記要求者端末の電話番号が前記電話帳情報に含まれている場合、許可条件を満たしていると判定する構成を有することを特徴とする情報案内システム。
【請求項４】
請求項２記載の情報案内システムにおいて、
前記電話帳情報が、１或いは複数の電話番号と、該各電話番号が属するグループを示すグループ情報とを含み、
前記サーバ側記憶部が、前記登録者端末から送られてきた各グループ毎の情報開示範囲を保持し、
前記サーバ側制御部が、前記許可条件を満たす要求者端末へ前記ユーザ情報を送信する際、前記要求者端末が属するグループに対して定められている情報開示範囲に従って前記ユーザ情報の一部或いは全部を前記要求者端末へ送信する構成を有することを特徴とする情報案内システム。
【請求項５】
請求項２記載の情報案内システムにおいて、
前記サーバ側記憶部に格納される前記ユーザ情報が、メッセージ、音声或いは画像を含むことを特徴とする情報案内システム。
【請求項６】
登録者端末が、情報案内サーバに対して、登録者の電話番号を含むユーザ情報を送信するステップと、
前記情報案内サーバが、サーバ側記憶部に前記登録者端末から送られてきたユーザ情報を格納するステップと、
前記登録者端末が、端末側記憶部に格納されている電話帳情報を、前記ユーザ情報の案内を許可する要求者端末の条件を示す許可条件として前記情報案内サーバへ送信するステップと、
前記情報案内サーバが、前記登録者端末から送られてきた前記許可条件を前記サーバ側記憶部に格納するステップと、
前記情報案内サーバが、要求者端末から前記登録者のユーザ情報が要求されたとき、前記要求者端末が前記許可条件を満たすか否かを判定し、条件を満たす場合のみ、前記ユーザ情報を前記要求者端末へ送信するステップとを含むことを特徴とする情報案内方法。
【請求項７】
電話帳情報が格納された端末側記憶部を備えた登録者端末から、ユーザ情報の案内を許可する要求者端末の条件を示す許可条件として前記電話帳情報が送られてくる情報案内サーバであって、
前記登録者端末から送られてきた登録者の電話番号を含むユーザ情報と、前記許可条件とが格納されたサーバ側記憶部と、
要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備えたことを特徴とする情報案内サーバ。
【請求項８】
登録者端末から送られてきた登録者の電話番号を含むユーザ情報と、該ユーザ情報の案内を許可する要求者端末の条件を示す許可条件とが格納されたサーバ側記憶部と、要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備えた情報案内サーバに対して、前記許可条件を送信する登録者端末であって、
電話帳情報が格納された端末側記憶部と、
該端末側記憶部に格納されている電話帳情報を、前記許可条件として前記情報案内サーバへ送信する端末側制御部とを備えたことを特徴とする登録者端末。
【発明の詳細な説明】
【技術分野】
【０００１】
本発明は、個人或いは企業が、加入している携帯電話やＩＰ電話等を解約して新規に回線契約した場合に、新電話番号等を含むユーザ情報を要求者に案内する情報案内技術に関する。
【背景技術】
【０００２】
通信事業者間の競争が激しくない状況（寡占状態）では、ＮＴＴに代表される通信事業者が、電話番号案内をサービスとして実施していた。しかし、競争が激しくなるにつれ、携帯電話事業者のように新電話番号の案内サービスを中止する事業者が現れるようになってきている。このため、新電話番号が分からなくなってしまう事態が多々発生するようになってきている。また、今後普及することが予想されるＩＰ電話についても同様の事態が発生することが予想される。
【０００３】
このような問題点を解決するため、従来から次のような技術が提案されている（例えば、特許文献１参照）。この特許文献１に記載されている従来の電話番号案内システムでは、次のようにして電話番号案内を実施している。
【０００４】
電話番号案内システム内のデータベースに、登録者の新電話番号と、電話番号公開条件とを対応付けて登録しておく。電話番号公開条件としては、「全ての要求者に常に登録者の電話番号を公開する」、「全ての要求者に常に登録者の電話番号の公開を許否する」、「要求者に対して電話番号を案内することなく、登録者に対して要求者からの情報を通知する」の３種類が用意されており、その内の１種類が登録者の新電話番号と対応付けて登録されている。要求者から上記登録者の電話番号が問い合わされた場合、電話番号案内システムは、上記データベースに登録されている電話番号公開条件に従った処理を行う。
【特許文献１】特許第３２７２３４８号公報
【発明の開示】
【発明が解決しようとする課題】
【０００５】
上述した従来の技術によれば、電話番号公開条件として「要求者に対して電話番号を案内することなく、登録者に対して要求者からの情報を通知する」を選択しておけば、新電話番号を知らせたい要求者だけに新電話番号を案内することが可能になる。しかし、電話番号公開条件として「要求者に対して電話番号を案内することなく、登録者に対して要求者からの情報を通知する」を選択した場合には、要求者がメッセージを電話番号案内システムに送信し、電話番号案内システムを介してこのメッセージを受信した登録者がメッセージ内容に基づいて、要求者に対して新電話番号を案内するか否かを判断し、案内すると判断した場合には登録者がメッセージの送信元の要求者に対して新電話番号を連絡するといった作業を行わなければならず、要求者が新電話番号を知るまでにかなりの時間がかかるという問題があった。
【０００６】
〔発明の目的〕
そこで、本発明の目的は、新電話番号を知らせたい要求者に対しては、迅速に新電話番号を案内することができ、その他の要求者に対しては、新電話番号の案内を許否できるようにすることにある。
【課題を解決するための手段】
【０００７】
本発明にかかる第１の情報案内システムは、上記目的を達成するため、
情報案内サーバが、
登録者端末から送られてきた登録者の電話番号を含むユーザ情報と、該ユーザ情報の案内を許可する要求者端末の条件を示す許可条件とが格納されたサーバ側記憶部と、
要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備え、
前記登録者端末が、
前記許可条件を前記情報案内サーバへ送信する端末側制御部を備えたことを特徴とする。
【０００８】
本発明にかかる第２の情報案内システムは、許可条件の登録作業を容易に行えるようにするため、第１の情報案内システムにおいて、
前記登録者端末が、電話帳情報が格納された端末側記憶部を備え、
前記端末側制御部が、前記端末側記憶部に格納されている電話帳情報を、前記許可条件として前記情報案内サーバへ送信する構成を有することを特徴とする。
【０００９】
本発明にかかる第３の情報案内システムは、第２の情報案内システムにおいて、
前記電話帳情報が、１或いは複数の電話番号を含み、
前記サーバ側制御部が、前記要求者端末の電話番号が前記電話帳情報に含まれている場合、許可条件を満たしていると判定する構成を有することを特徴とする。
【００１０】
本発明にかかる第４の情報案内システムは、要求者が属するグループに応じて、ユーザ情報の開示範囲を変更できるようにするため、第２の情報案内システムにおいて、
前記電話帳情報が、１或いは複数の電話番号と、該各電話番号が属するグループを示すグループ情報とを含み、
前記サーバ側記憶部が、前記登録者端末から送られてきた各グループ毎の情報開示範囲を保持し、
前記サーバ側制御部が、前記許可条件を満たす要求者端末へ前記ユーザ情報を送信する際、前記要求者端末が属するグループに対して定められている情報開示範囲に従って前記ユーザ情報の一部或いは全部を前記要求者端末へ送信する構成を有することを特徴とする。
【００１１】
本発明にかかる第５の情報案内システムは、第２の情報案内システムにおいて、
前記サーバ側記憶部に格納される前記ユーザ情報が、メッセージ、音声或いは画像を含むことを特徴とする。
【００１２】
本発明にかかる情報案内方法は、新電話番号を知らせたい要求者に対しては、迅速に新電話番号を案内することができ、その他の要求者に対しては、新電話番号の案内を許否できるようにすると共に、許可条件の登録作業を容易にするため、
登録者端末が、情報案内サーバに対して、登録者の電話番号を含むユーザ情報を送信するステップと、
前記情報案内サーバが、サーバ側記憶部に前記登録者端末から送られてきたユーザ情報を格納するステップと、
前記登録者端末が、端末側記憶部に格納されている電話帳情報を、前記ユーザ情報の案内を許可する要求者端末の条件を示す許可条件として前記情報案内サーバへ送信するステップと、
前記情報案内サーバが、前記登録者端末から送られてきた前記許可条件を前記サーバ側記憶部に格納するステップと、
前記情報案内サーバが、要求者端末から前記登録者のユーザ情報が要求されたとき、前記要求者端末が前記許可条件を満たすか否かを判定し、条件を満たす場合のみ、前記ユーザ情報を前記要求者端末へ送信するステップとを含むことを特徴とする。
【００１３】
本発明にかかる情報案第サーバは、新電話番号を知らせたい要求者に対しては、迅速に新電話番号を案内することができ、その他の要求者に対しては、新電話番号の案内を許否できるようにすると共に、許可条件の登録作業を容易にするため、
電話帳情報が格納された端末側記憶部を備えた登録者端末から、ユーザ情報の案内を許可する要求者端末の条件を示す許可条件として前記電話帳情報が送られてくる情報案内サーバであって、
前記登録者端末から送られてきた登録者の電話番号を含むユーザ情報と、前記許可条件とが格納されたサーバ側記憶部と、
要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備えたことを特徴とする。
【００１４】
本発明にかかる要求者端末は、新電話番号を知らせたい要求者に対しては、迅速に新電話番号を案内することができ、その他の要求者に対しては、新電話番号の案内を許否できるようにすると共に、許可条件の登録作業を容易にするため、
登録者端末から送られてきた登録者の電話番号を含むユーザ情報と、該ユーザ情報の案内を許可する要求者端末の条件を示す許可条件とが格納されたサーバ側記憶部と、要求者端末から前記登録者のユーザ情報が要求されたとき、前記要求者端末が前記許可条件を満たすか否かを判定し、条件を満たす場合のみ、前記ユーザ情報を前記要求者端末へ送信するサーバ側制御部とを備えた情報案内サーバに対して、前記許可条件を送信する登録者端末であって、
電話帳情報が格納された端末側記憶部と、
該端末側記憶部に格納されている電話帳情報を、前記許可条件として前記情報案内サーバへ送信する端末側制御部とを備えたことを特徴とする。
【発明の効果】
【００１５】
本発明にかかる第１の情報案内システム、情報案内方法、情報案内サーバ、登録者端末によれば、新電話番号を知らせたい要求者に対しては、迅速に新電話番号を案内することが可能になり、その他の要求者に対しては、新電話番号の案内を許否することが可能になる。その理由は、情報案内サーバが、要求者端末から登録者のユーザ情報が要求されたとき、上記要求者端末が許可条件を満たすか否かを判定し、条件を満たす場合のみ、ユーザ情報を上記要求者端末へ送信するようにしているからである。
【００１６】
本発明にかかる第２、第３の情報案内システムによれば、許可条件の登録作業を容易に行うことが可能になる。その理由は、許可条件として、登録者端末の端末側記憶部に格納されている電話帳情報を利用するようにしているからである。
【００１７】
本発明にかかる第４の情報案内システムによれば、要求者が属するグループに応じて、ユーザ情報の開示範囲を変更することが可能となる。その理由は、許可条件を満たす要求者端末へユーザ情報を送信する際、上記要求者端末が属するグループに対して定められている情報開示範囲に従って上記ユーザ情報の一部或いは全部を送信するようにしているからである。
【００１８】
本発明にかかる第５の情報案内システムによれば、電話番号などの定型的な情報以外に、メッセージ，音声，画像なども要求者端末に提示することができる。
【発明を実施するための最良の形態】
【００１９】
次に本発明の実施の形態について図面を参照して詳細に説明する。
【００２０】
〔構成の説明〕
本発明の情報案内システムは、図１に示すように、携帯電話機、PC、PDA、IP電話機等によって実現される登録者端末100と、携帯電話機、PC、PDA、IP電話機等によって実現される要求者端末200と、コンピュータによって実現される情報案内サーバ300とから構成されている。そして、これらは、インターネット、公衆回線網（PSTN）、携帯電話網等のネットワーク400により相互に接続されている。
【００２１】
登録者端末100は、新電話番号を含むユーザ情報を情報案内サーバ300に登録する端末であり、要求者端末200は、情報案内サーバ300に登録されている上記ユーザ情報の案内を要求する端末である。
【００２２】
図２は登録者端末100の構成例を示すブロック図であり、送受信部101と、制御部102と、記憶部103と、キー入力部104と、音声入力部105と、画像入力部106と、LCD等の表示部107とを備えている。
【００２３】
送受信部101は、ネットワーク400を介してデータをやり取りする機能を有する。
【００２４】
制御部102は、情報案内サーバ300から送られてきた定型ユーザ情報登録変更画面、非定型ユーザ情報登録変更画面、許可条件登録変更画面などを表示部107に表示する機能や、登録者が上記各画面を用いて入力した定型ユーザ情報、非定型ユーザ情報、許可条件などを情報案内サーバ300へ送信する機能や、要求者がキー入力部104を用いて入力したテキストによるメッセージを記憶部103上のメッセージファイル（図示せず）に格納する機能や、要求者が音声入力部105を用いて入力した音声によるメッセージを記憶部103上の音声ファイル（図示せず）に格納する機能や、要求者が画像入力部106を用いて入力した画像（動作、静止画）を記憶部103上の画像ファイル（図示せず）に格納する機能等を有する。
【００２５】
記憶部103には、電話帳情報ファイル103ａが格納されている。図３に電話帳情報ファイル103ａの内容例を示す。同図に示すように、電話帳情報ファイル103ａには、要求者が登録した通信相手の氏名、電話番号、メールアドレス、ＩＰアドレス、個人Webサイト情報（URL）、郵便番号、住所、グループなどが登録されている。同図の例は、氏名「あいうえお」の通信相手は、電話番号が「090********」、メールアドレスが「abc@def.com」、IPアドレスが「123.456.789.012」、URLが「http://www.…」、郵便番号が「123-4567」、住所が「××県…」、属するグループが「会社」であることを示している。
【００２６】
情報案内サーバ300は、情報案内サービス事業者によって運営されるサーバであり、例えば、図４のブロック図に示すような構成を有する。
【００２７】
図４を参照すると、情報案内サーバ300は、送受信部301と、制御部302と、要求者端末識別情報取得部310と、記憶部311とを備えている。
【００２８】
送受信部301は、ネットワーク400を介してデータを送受信する機能を有する。
【００２９】
記憶部311は、会員情報が格納される会員情報記憶部312と、定型及び非定型のユーザ情報が格納されるユーザ情報記憶部313と、許可条件が格納される許可条件記憶部314と、情報開示範囲が格納される情報開示範囲記憶部315とを備えている。
【００３０】
図５は、会員情報記憶部312の内容例を示した図であり、会員の氏名・名称と、会員IDと、パスワードとが格納される。図５の例は、氏名・名称が「AAA」の会員は、会員IDが「BBB」、パスワードが「CCC」であることを示している。なお、会員情報記憶部312への新規会員情報の追加や、既存の会員情報の更新処理などは、図示を省略した会員情報管理部において行われる。
【００３１】
図６はユーザ情報記憶部３１３の内容例を示す図であり、会員番号に対応付けて、氏名・名称、新旧電話番号、新旧メールアドレス及び新旧URLからなる定型ユーザ情報と、テキストによるメッセージ、音声によるメッセージ及び画像からなる非定型ユーザ情報とが登録されている。この図６の例は、会員ID「BBB」の会員は、氏名・名称が「AAA」、新旧電話番号が「D2」，「D1」、新旧メールアドレスが「E2」，「E1」、新旧URLが「F2」，「F1」、テキストによるメッセージが「GGG」、音声によるメッセージが「HHH」、画像が「III」であることを示している。
【００３２】
図７は許可条件記憶部314の内容例を示す図であり、会員IDに対応付けて許可条件が登録されている。図７の例は、会員ID「BBB」の会員は許可条件として図３に示すような電話帳情報を登録し、会員ID「YYY」の会員は許可条件として「全て許可」を登録していることを示している。
【００３３】
図８は情報提示範囲記憶部315の内容例を示す図であり、会員IDに対応付けて、その会員IDの会員が、各グループに属する要求者に対して開示（案内）するユーザ情報の範囲が登録されている。図８の例は、会員ID「BBB」の会員は、グループ「会社」に属する要求者に対しては、ユーザ情報を構成する項目の内の「氏名・名称」、「電話番号」のみを案内し、グループ「女友達」に属する要求者に対しては、ユーザ情報を構成する全項目を案内することを示している。
【００３４】
要求者端末識別情報取得部310は、ユーザ情報の案内を要求する要求者端末200を識別するための要求者端末識別情報を取得する機能を有する。要求者端末識別情報は、例えば、発信者番号、IPアドレス、要求者端末200の位置情報などであり、要求者端末200からのアクセス時にネットワーク400側から取得可能なものであっても、要求者端末200に要求を出して取得するものであっても良い。
【００３５】
制御部302は、認証処理部303と、定型ユーザ情報登録更新部304と、非定型ユーザ情報登録更新部305と、許可条件登録更新部306と、情報開示範囲登録更新部307と、ユーザ情報検索部308と、ユーザ情報案内部309とから構成されている。
【００３６】
認証処理部303は、ユーザ情報などの登録更新が要求された場合、登録更新要求者が会員であるか否かを認証する機能を有する。
【００３７】
定型ユーザ情報登録更新部304は、登録者端末100に定型ユーザ情報登録更新画面を送信する機能や、登録者端末100から送られてきた定型ユーザ情報をユーザ情報記憶部313に登録する機能を有する。
【００３８】
非定型ユーザ情報登録更新部305は、登録者端末100に非定型ユーザ情報登録更新画面を送信する機能や、登録者端末100から送られてきた非定型ユーザ情報をユーザ情報記憶部313に登録する機能を有する。
【００３９】
許可条件登録更新部306は、登録者端末100に許可条件登録更新画面を送信する機能や、登録者端末100から送られてきた許可条件を許可条件記憶部314に登録する機能を有する。
【００４０】
情報開示範囲登録更新部307は、登録者端末100に情報開示範囲登録更新画面を送信する機能や、登録者端末100から送られてきた情報開示範囲を情報開示範囲記憶部315に登録する機能を有する。
【００４１】
ユーザ情報検索部308は、要求者端末200から要求されたユーザ情報をユーザ情報記憶部313から検索する機能を有する。
【００４２】
ユーザ情報案内部309は、要求者端末識別情報取得部310が取得した要求者端末200の識別情報と許可条件記憶部314の内容とに基づいて要求者端末200が許可条件を満たしているか否かを判断する機能や、許可条件を満たしていると判断した要求者端末200へユーザ情報を送信する際、情報開示範囲記憶部315に登録されている、上記要求者端末200が属するグループに対して定められている情報開示範囲に従ってユーザ情報の一部或いは全部を送信する機能を有する。
【００４３】
〔動作の説明〕
次に本実施の形態の動作について詳細に説明する。
【００４４】
電話番号を変更した登録者端末100のユーザ（登録者）は、情報案内サーバ300にアクセスし、自身の会員ID及びパスワードを送信する（図９のステップＳ91）。なお、登録者は、既に情報案内サービス事業者と契約を結んでおり、会員情報記憶部312には、図５に示すように上記登録者の氏名・名称、会員ID、パスワードが登録されているとする。
【００４５】
情報案内サーバ300内の認証処理部303は、登録者端末100から送られてきた会員ID及びパスワードと会員情報記憶部312の内容（図５参照）とに基づいた認証処理を行う。そして、認証ＯＫの場合、定型ユーザ情報登録更新画面を登録者端末100へ送信する（ステップＳ92）。
【００４６】
登録者端末100内の制御部102は、情報案内サーバ300から送られてきた定型ユーザ情報登録更新画面を表示部107に表示する（ステップＳ93）。登録者は、定型ユーザ情報登録更新画面を用いて、定型のユーザ情報として、例えば、氏名・名称、新旧電話番号、新旧メールアドレス、新旧個人Webサイト情報を入力し、それらを情報案内サーバ300へ送信する（ステップＳ94）。
【００４７】
情報案内サーバ300内の定型ユーザ情報登録更新部304は、登録者端末100から送られてきた情報（定型ユーザ情報）に従って登録処理或いは更新処理をユーザ情報記憶部313に対して行う（ステップＳ95）。
【００４８】
その後、非定型ユーザ情報登録更新部305が、登録者端末100に対して非定型ユーザ情報登録更新画面を送信する（ステップＳ96）。
【００４９】
登録者端末100内の制御部102は、情報案内サーバ300から送られてきた非定型ユーザ情報登録更新画面を表示部107に表示する（ステップＳ97）。登録者は、非定型ユーザ情報登録更新画面を用いて、非定型のユーザ情報として、メッセージ（テキスト）、メッセージ（音声）、画像（静止画/動画）を情報案内サーバ300へ送信する（ステップＳ98）。つまり、非定型ユーザ情報登録更新画面を用いて、メッセージなどが格納されているファイルを指定し、そのファイルの内容を情報案内サーバへ送信する。
【００５０】
情報案内サーバ300内の非定型ユーザ情報登録更新部305は、登録者端末100から送られてきた情報（非定型ユーザ情報）に従った登録処理或いは更新処理をユーザ情報記憶部313に対して行う（ステップＳ99）。
【００５１】
その後、許可条件登録更新部306が、登録者端末100に対して許可条件登録更新画面を送信する（ステップＳ100）。
【００５２】
登録者端末100内の制御部102は、情報案内サーバ300から送られてきた許可条件登録更新画面を表示部107に表示する（ステップＳ101）。図１０に許可条件登録更新画面10の一例を示す。同図の例は、許可条件の選択欄10ａ，10ｂと決定ボタン10ｃとが設けられている。登録者は、電話帳情報ファイル103ａに登録されている者だけにユーザ情報の案内を許可する場合には、選択欄10ａをチェックし、全ての要求者に対してユーザ情報の案内を許可する場合には、選択欄10ｂをチェックし、その後、決定ボタン10ｃを操作する。制御部102は、選択欄10ａがチェックされている場合には、許可条件として電話帳情報ファイル103ａに登録されている電話帳情報を送信し、選択欄10ｂがチェックされている場合には、許可条件として「全要求者」を送信する（ステップＳ102）。
【００５３】
情報案内サーバ300内の許可条件登録更新部306は、登録者端末100から送られてきた許可条件に従った登録処理或いは更新処理を許可条件記憶部314に対して行う（ステップＳ103）。
【００５４】
その後、情報開示範囲登録更新部307が、登録者端末100に対して情報開示範囲登録更新画面を送信する（ステップＳ104）。
【００５５】
要求者端末100内の制御部102は、表示部107に情報開示範囲登録更新画面を表示する（ステップＳ105）。図１１に情報開示範囲登録更新画面11の一例を示す。同図に示した情報開示範囲登録更新画面11には、グループ毎の情報開示範囲の選択欄11ａと、決定ボタン11ｂとが設けられている。要求者は、例えば、グループ「会社」に属する者に対しては、「氏名・名称」と「電話番号」だけを案内し、女友達には全ての項目を案内する場合には、図１１に示すように選択欄11ａにチェックを入れ、その後、決定ボタン11ｂを操作する。これにより、制御部102は、どのグループにどの項目の案内を許可するのかを示す情報開示範囲を情報案内サーバ300へ送信する（ステップＳ106）。
【００５６】
情報案内サーバ300内の情報開示範囲登録更新部307は、要求者端末100から送られてきた情報開示範囲に従った登録処理或いは更新処理を情報開示範囲記憶部315に対して行う（ステップＳ107）。
【００５７】
その後、情報案内サーバ300が登録者端末100に対して、登録，更新内容を示す完了通知を送信し（ステップＳ108）、これを登録者が承認することで、ユーザ情報などの登録更新処理が完了する（ステップＳ109）。
【００５８】
次に、要求者端末200のユーザ（要求者）が情報案内サーバ300に対して電話番号の問合わせを行う場合の動作について説明する。
【００５９】
要求者は、先ず、情報案内サーバ300に接続する（図１２のステップＳ121）。これにより、情報案内サーバ300内のユーザ情報検索部308は、要求者端末200に対して検索キー入力画面を送信する（ステップＳ122）。
【００６０】
要求者端末200は、情報案内サーバ300から送られてきた検索キー入力画面を表示する（ステップＳ123）。図１３に検索キー入力画面13の一例を示す。同図に示すように、検索キー入力画面13には、要求者が新電話番号を知りたい登録者の氏名・名称の入力欄13ａと、上記要求者の旧電話番号の入力欄13ｂと、決定ボタン13ｃとが設けられている。要求者は各入力欄13ａ，13ｂに必要事項を入力した後、決定ボタン13ｃを操作する。これにより、要求者端末200は、情報案内サーバ300に対して、入力欄13ａ，13ｂに入力された「氏名・名称」，「旧電話番号」を送信する（ステップＳ124）。
【００６１】
情報案内サーバ300内のユーザ情報検索部308は、要求者端末200から送られてきた「氏名・名称」及び「旧電話番号」を検索キーにしてユーザ情報記憶部313を検索する。そして、該当するユーザ情報が存在しない場合には、そのことを要求者端末200へ通知し、存在する場合には、該当するユーザ情報中の会員IDをユーザ情報案内部309に渡す（ステップＳ125）。
【００６２】
ユーザ情報案内部309は、ユーザ情報検索部308から会員IDが渡されると、先ず、許可条件記憶部314に格納されている上記会員IDの許可条件を取得する。許可条件が「全て許可」となっている場合には、上記会員IDのユーザ情報の全項目を要求者端末200へ送信する。また、許可条件が電話帳情報になっている場合は、要求者端末識別情報取得部310を用いて、要求者端末200の識別情報（電話番号など）を取得し、取得した識別情報（電話番号など）を含むレコードが電話帳情報に存在するか否かを調べる。そして、存在する場合は、上記レコード中の「グループ」と情報開示範囲記憶部315の内容とに基づいて、ユーザ情報中の案内する項目を決定し、決定した項目の内容を要求者端末200へ送信する。例えば、要求者端末200の属するグループが「会社」で、情報開示範囲記憶部315の内容が図８に示すものである場合には、「氏名・名称」と「電話番号」のみを通知し、要求者端末200が属するグループが「女友達」である場合には、ユーザ情報の全項目を通知する。なお、要求者端末200が許可条件を満たさない場合は、そのことを要求者端末200へ通知する（ステップＳ126，Ｓ127）。
【００６３】
要求者端末200は、情報案内サーバ300から送られてきたユーザ情報を表示する（ステップＳ128）。
【図面の簡単な説明】
【００６４】
【図１】本発明にかかる情報案内システムの全体構成を示すブロック図である。
【図２】登録者端末100の構成例を示すブロック図である。
【図３】電話帳情報の一例を示す図である。
【図４】情報案内サーバ300の構成例を示すブロック図である。
【図５】会員情報記憶部312に内容例を示す図である。
【図６】ユーザ情報記憶部313の内容例を示す図である。
【図７】許可条件記憶部314の内容例を示す図である。
【図８】情報提示範囲記憶部315の内容例を示す図である。
【図９】ユーザ情報などの登録更新時の処理例を示すフローチャートである。
【図１０】許可条件登録更新画面10の一例を示す図である。
【図１１】情報開示範囲登録更新画面11の一例を示す図である。
【図１２】要求者端末200が新電話番号の問い合わせを行う時の処理例を示すフローチャートである。
【図１３】検索キー入力画面の一例を示す図である。
【符号の説明】
【００６５】
100…登録者端末
101…送受信部
102…制御部
103…記憶部
103ａ…電話帳情報ファイル
104…キー入力部
105…音声入力部
106…画像入力部
107…表示部
200…要求者端末
300…情報案内サーバ
301…送受信部
302…制御部
303…認証処理部
304…定型ユーザ情報登録更新部
305…非定型ユーザ情報登録更新部
306…許可条件登録更新部
307…情報開示範囲登録更新部
308…ユーザ情報検索部
309…ユーザ情報案内部
310…要求者端末識別情報取得部
311…記憶部
312…会員情報記憶部
313…ユーザ情報記憶部
314…許可条件記憶部
315…情報開示範囲記憶部
400…ネットワーク
【図１】
2005252525.tif 000003
【図２】
2005252525.tif 000004
【図３】
2005252525.tif 000005
【図４】
2005252525.tif 000006
【図５】
2005252525.tif 000007
【図６】
2005252525.tif 000008
【図７】
2005252525.tif 000009
【図８】
2005252525.tif 000010
【図９】
2005252525.tif 000011
【図１０】
2005252525.tif 000012
【図１１】
2005252525.tif 000013
【図１２】
2005252525.tif 000014
【図１３】
2005252525.tif 000015